(57)【要約】      （修正有）【課題】容易に製造することが出来て安価な制振金物を提供する。【解決手段】制振金物１は、木造住宅の構造材に固定する一対の固定部材１１と、一対の固定部材１１によって挟持するプレート材１２と、からなり、プレート材１２は長孔１２３を有し、固定部材１１に設けたボルト孔１１１および長孔１２３に挿通するボルト１４１および該ボルトに螺合するナット１４２によって一対の固定部材１１およびプレート材１２を一体とする。【選択図】図２
0003205201.tif 000002
【実用新案登録請求の範囲】
【請求項１】
木造住宅の構造材に固定する一対の固定部材と、
前記一対の固定部材によって挟持するプレート材と、からなり、
前記プレート材は長孔を有し、
前記固定部材に設けたボルト孔および前記長孔に挿通するボルトおよび該ボルトに螺合するナットによって前記一対の固定部材および前記プレート材を一体とする、制振金物。
【請求項２】
請求項１に記載の制振金物において、前記固定部材と前記プレート材との間に粘弾性体を配置することを特徴とする、制振金物。
【考案の詳細な説明】
【技術分野】
【０００１】
本考案は、木造住宅において、柱材と横架材とで形成される枠体内に取り付ける制振金物に関するものである。
【背景技術】
【０００２】
木造住宅の制振部材として、柱材や土台、梁などの横架材からなる枠体内に配置するものが知られている。
特に近年は、粘弾性ダンパーを用いるものが多くみられるようになっている。
【先行技術文献】
【特許文献】
【０００３】
【特許文献１】特開２００７−２６２７０７号公報
【考案の概要】
【考案が解決しようとする課題】
【０００４】
粘弾性ダンパーは機構が複雑であるため、粘弾性ダンパーを使用した制振部材は高価になってしまうという問題があった。
【０００５】
本考案は、容易に製造することが出来て安価な制振金物を提供することを目的とする。
【課題を解決するための手段】
【０００６】
上記目的を達成するためになされた本願の第１考案は、木造住宅の構造材に固定する一対の固定部材と、前記一対の固定部材によって挟持するプレート材と、からなり、前記プレート材は長孔を有し、前記固定部材に設けたボルト孔および前記長孔に挿通するボルトおよび該ボルトに螺合するナットによって前記一対の固定部材および前記プレート材を一体とする、制振金物を提供する。
本願の第２考案は、第１考案の制振金物において、前記固定部材と前記プレート材との間に粘弾性体を配置することを特徴とする、制振金物を提供する。
【考案の効果】
【０００７】
本考案の制振金物は、固定部材によってプレート材を挟持するだけの構成であるため、容易に製造することが出来て、かつ、安価である。
【図面の簡単な説明】
【０００８】
【図１】本考案の制振金物を用いた制振構造の説明図（１）
【図２】制振金物の分解斜視図（１）
【図３】制振金物の側面図
【図４】ブレース材および取付部材の説明図
【図５】制振金物の変形の説明図（１）
【図６】制振金物の分解斜視図（２）
【図７】制振金物の変形の説明図（２）
【図８】本考案の制振金物を用いた制振構造の説明図（２）
【図９】本考案の制振金物を用いた制振構造の説明図（３）
【図１０】本考案の制振金物を用いた制振構造の説明図（４）
【考案を実施するための形態】
【０００９】
以下、図面を参照しながら本考案の制振金物態を詳細に説明する。
【００１０】
［実施例１］
（１）制振構造
本考案の制振金物１は、木造住宅の枠体に制振機能を付与し、制振構造とする金物である。
本考案を適用する枠体の構造材は、２本の柱材２ａ、２ｂと、柱材２ａ、２ｂの上下に横架する梁３、土台４によって構成される（図１）。
制振金物１は、梁３の、柱材２ａ、２ｂ間中央に取り付ける。
【００１１】
（２）制振金物
制振金物１は、梁３と接合する一対の固定部材１１、一対の固定部材１１によって挟持するプレート材１２、および、固定部材１１とプレート材１２との間に配置するすべりプレート１３、からなる。（図２）
【００１２】
（２−１）固定部材
固定部材１１は断面Ｌ字状の鋼板である。
固定部材１１は、Ｌ字の一辺を成す一平面の外側を梁３に当接して、ビス等によって固定する（図３）。
そして、一対の固定部材１１のそれぞれの他平面の外側において、プレート材１２およびすべりプレート１３を挟持する。
固定部材１１の他平面にはボルト孔１１１を複数個設ける。
【００１３】
（２−２）プレート材
プレート材１２は鋼板からなる。
プレート材１２は、挟持部１２１とブレース材取付部１２２と、からなる。
プレート材１２は、挟持部１２１を固定部材１１で挟持した際にブレース材取付部１２２が固定部材１１から突出する。
挟持部１２１には、固定部材１１のボルト孔１１１に対応して長孔１２３を設ける。長孔１２３は横方向に長い形状とする。
【００１４】
（２−３）すべりプレート
すべりプレート１３はステンレス板からなる。ステンレス板とすることにより、摩擦係数が固定部材１１やプレート材１２より摩擦係数が小さくなる。
すべりプレート１３には、固定部材１１のボルト孔およびプレート材１２の長孔１２３に対応して長孔１３１を設ける。
そして、固定部材１１のボルト孔１１１、プレート材１２の長孔１２３、およびすべりプレート１３の長孔１３１を重ね合わせた状態で、一組の固定部１１、すべりプレート１３およびプレート材１２を貫通するように、ボルト１４１を挿通してナット１４２を螺合して固定部１１、プレート材１２およびすべりプレート１３を一体とする。ナット１４２の締めつけにより、プレート材１２はすべりプレート１３を介して両側の固定部１１による挟持力が作用する。
【００１５】
（３）ブレース材および取付部材
本考案の制振金物１は固定部材１１１を梁３に取り付け、梁３からそれぞれの柱材２ａ、２ｂ方向に傾斜して配置するブレース材５をプレート材１２に連結する。
ブレース材５は角筒状であり、プレート材１２の厚みより大きなスリット５１を設ける（図３）。
ブレース材５のスリット５１にプレート材１２を挿し込み、ボルト等により固定する。
ブレース材５の他方の端部は取付部材６を介して柱２ａ、２ｂに取り付ける。
取付部材６は断面Ｌ字状の鋼板を２枚接合したものである（図４）。
取付部材６は、Ｌ字の一辺を成す一平面の外側どうしを重合して溶接等によって一体とし、他平面の外側を柱２に当接して、ビス等によって固定する。
ブレース材５の他方の端部に設けるスリット５１は、取付部材６の重合部分の厚みより大きくし、スリット５１に取付部材６を差し込み、ボルト等により固定する。
【００１６】
（４）制振機能
地震により木造住宅に力が作用すると、柱材２ａ、２ｂに傾きが生じる。そして、柱材２ａ、２ｂとブレース材５とが変位すると、摩擦係数の小さいすべりプレート１３を挟持した固定部材１１とプレート材１２（図５ａ）とが、プレート材１２の長孔１２３方向に沿って相対的に変位する（図５ｂ）。
ブレース材５はプレート材１２に固定されているため、ブレース材５とプレート材１２は梁３及び固定部材１１に対して左右方向に変位する。この変位により固定部材１１からの挟持力が作用したプレート材１２が変位することで、固定部材１１とプレート材１２間の摩擦による制振機能が働く。
【００１７】
［その他実施例］
（１）粘弾性体
固定部材１１とプレート材１２との間には粘弾性体１５を配置しても良い（図６）。
粘弾性体１５は高減衰ゴム、アクリルゴム等からなる。
粘弾性体１５はプレート材１２に追従して動くため、プレート材１２と同様に長孔１５１を形成する。
固定部材１１とプレート材１２との間に粘弾性体１５を配置することにより（図７ａ）、粘弾性体１５は、固定部材１１とプレート材１２の相対的な変位に合わせて変形し、制振を行う（図７ｂ）。
【００１８】
（２）制振金物の配置
上述の制振構造においては、制振金物１を梁３に取り付けたが、制振金物１を土台４にも取り付けて、ブレース材を方杖状に取り付ける構成としてもよい（図８）。
また、間柱７の側面に対称に取り付けて、それぞれの柱材２ａ、２ｂ方向に傾斜してブレース材５をＸ字状に取り付ける構成としてもよい（図９）し、中間梁８の上下面に対称に取り付けて、それぞれの柱材２ａ、２ｂ方向に傾斜してブレース材５をＸ字状に取り付ける構成としてもよい（図１０）。
【符号の説明】
【００１９】
１      制振金物
１１    固定部材
１１１  ボルト孔
１２    プレート材
１２１  挟持部
１２２  ブレース材取付部
１２３  長孔
１３    すべりプレート
１３１  長孔
１４１    ボルト
１４２    ナット
１５    粘弾性体
１５１  長孔
２      柱材
３      梁
４      土台
５      ブレース材
５１    スリット
６      取付部材
７      間柱
８      中間梁
【図１】
0003205201.tif 000003
【図２】
0003205201.tif 000004
【図３】
0003205201.tif 000005
【図４】
0003205201.tif 000006
【図５】
0003205201.tif 000007
【図６】
0003205201.tif 000008
【図７】
0003205201.tif 000009
【図８】
0003205201.tif 000010
【図９】
0003205201.tif 000011
【図１０】
0003205201.tif 000012